(57)【特許請求の範囲】
【請求項１】
ホストコンピュータから送られて来る所定のＸ−Ｙ座標軸上での線図データ又はカットデータの値をバッファに記憶して、該バッファに記憶した線図データ又はカットデータの値に基づき、駆動制御手段により、シートをプラテン上をその前後方向に当たるＸ方向に移動させると共に、ヘッドを前記プラテン上をその左右方向に当たるＹ方向に移動させて、前記ヘッドに装着された筆記具により前記シート表面に線図をシート前端に近い側からシート後方に向けて描いたり、又は前記ヘッドに装着されたカッタにより前記シートに所定形状のカット線をシート前端に近い側からシート後方に向けて形成したりするペーパームービングタイプのプロッタであって、
前記ホストコンピュータから送られて来る所定のＸ−Ｙ座標軸上での線図データ又はカットデータの値をそのＸ−Ｙ座標軸と共に平面上で１８０度回転させた反転Ｘ−Ｙ座標軸上での反転データの値を求めて、該反転データの値をバッファに記憶させる反転記憶手段を備えると共に、
シートをプラテン上にその後ろ側からその前側に向けてセッティングした場合には、ホストコンピュータから送られて来る所定のＸ−Ｙ座標軸上での線図データ又はカットデータの値をそのままバッファに記憶して、該バッファに記憶した線図データ又はカットデータの値に基づき、前記駆動制御手段を動作させ、
シートをプラテン上にその前側からその後ろ側に向けてセッティングした場合には、前記反転記憶手段を動作させて、前記ホストコンピュータから送られて来る所定のＸ−Ｙ座標軸上での線図データ又はカットデータの値をそのＸ−Ｙ座標軸と共に平面上で１８０度回転させた反転Ｘ−Ｙ座標軸上での反転データの値を求めて、その反転データの値をバッファに記憶し、該バッファに記憶した反転Ｘ−Ｙ座標軸上での反転データの値に基づき、前記駆動制御手段を動作させる切替え手段を備えたプロッタにおいて、
シートをプラテン上にその前側からその後ろ側に向けてセッティングした場合に、前記シート表面に線図を描き終えたか否かを検知したり、又は前記シートに所定形状のカット線を形成し終えたか否かを検知したりする検知手段と、
該検知手段により前記シート表面に線図を描き終えたことを検知したり、又は該検知手段により前記シートに所定形状のカット線を形成し終えたことを検知したりした場合に、前記シート表面に描かれた線図を前記プラテンの前側から確認できる位置までシートをプラテン上をその後ろ側からその前側に送り戻したり、又は前記シートに形成されたカット線を前記プラテンの前側から確認できる位置までシートをプラテン上をその後ろ側からその前側に送り戻したりする復帰手段とを備えたことを特徴とするプロッタ。
【請求項２】
請求項１記載のプロッタにおいて、次の工程を含むことを特徴とするプロッタの操作方法。
ａ．シートをプラテン上にその前側からその後ろ側に向けてセッティングした場合に、切替え手段により反転記憶手段を動作させて、ホストコンピュータから送られて来る所定のＸ−Ｙ座標軸上での線図データ又はカットデータの値をそのＸ−Ｙ座標軸と共に平面上で１８０度回転させた反転Ｘ−Ｙ座標軸上での反転データの値を求めて、該反転データの値をバッファに記憶し、該バッファに記憶した反転データの値に基づき、駆動制御手段により、前記シートをプラテン上をその前後方向に当たるＸ方向に移動させると共に、ヘッドを前記プラテン上をその左右方向に当たるＹ方向に移動させて、前記ヘッドに装着された筆記具により前記シート表面に線図をシート前端に近い側からシート後方に向けて描いたり、又は前記ヘッドに装着されたカッタにより前記シートに所定形状のカット線をシート前端に近い側からシート後方に向けて形成したりする工程。
ｂ．検知手段により、前記シート表面に線図を描き終えたか否かを検知し続けたり、又は前記シートに所定形状のカット線を形成し終えたか否かを検知し続けたりする工程。
ｃ．前記検知手段により、シート表面に線図を描き終えたことを検知したり、又はシートに所定形状のカット線を形成し終えたことを検知したりした場合に、復帰手段により、線図を描き終えたシートを、該シート表面に描かれた線図を前記プラテンの前側から確認できる位置までプラテン上をその後ろ側からその前側に送り戻したり、又は所定形状のカット線を形成し終えたシートを、該シートに形成されたカット線を前記プラテンの前側から確認できる位置までプラテン上をその後ろ側からその前側に送り戻したりする工程。
【発明の詳細な説明】
【０００１】
【発明の属する技術分野】
本発明は、シートをプラテン上をその前後方向に当たるＸ方向に移動させると共に、ヘッドをプラテン上をその左右方向に当たるＹ方向に移動させて、ヘッドに装着された筆記具によりシート表面に線図を描いたり、ヘッドに装着されたカッタによりシートに所定形状のカット線を形成したりするペーパームービングタイプのプロッタ及びその操作方法に関する。
【０００２】
【従来の技術】
従来より、図４と図５に示したような、ペーパームービングタイプのプロッタがある。
このプロッタでは、シート２０を搭載するほぼ逆樋状をした横長のプラテン１０を備えている。プラテン１０の左右には、プラテン１０上に搭載したシート２０をＸ方向に移動させるピンチローラ１４と送りローラ１２とを、上下に対向させて備えている。そして、プラテン１０上に搭載したシート２０の左右をピンチローラ１４と送りローラ１２との間に挟持できるようにしている。そして、送りローラ１２を正逆に回転させて、ピンチローラ１４と送りローラ１２との間に挟持したシート２０を、プラテン１０上をＸ方向に移動させることができるようにしている。プラテン１０上には、筆記具４４又はカッタ４６が装着されたヘッド４０を、ガイドレール４２を介して、Ｙ方向に移動自在に支持している。ヘッド４０には、該ヘッド４０をガイドレール４２に沿ってプラテン１０上をＹ方向に移動させる移動手段（図示せず）を連結している。１対のピンチローラ１４と送りローラ１２と移動手段とは、シート２０をプラテン１０上をＸ方向に移動させると共に、ヘッド４０をプラテン１０上をＹ方向に移動させる駆動制御手段３０の一部を構成している。
【０００３】
このプロッタでは、ホストコンピュータ６０から送られて来る所定のＸ−Ｙ座標軸上での線図データ又はカットデータの値を記憶するバッファ９０を備えている。そして、該バッファ９０に記憶した所定のＸ−Ｙ座標軸上での線図データ又はカットデータの値に基づき、駆動制御手段３０を動作させることができるようにしている。
【０００４】
このプロッタにおいて、シート２０をプラテン１０上にセッティングする場合には、図５に示したように、シート２０をプラテン１０の後ろ側からプラテン１０上に送り込んでいる。そして、シート２０前端に近いシート２０表面の線図作成原点上にヘッド４０に装着された筆記具４４を位置させたり、又はシート２０前端に近いシート２０のカット線作成原点上にヘッド４０に装着されたカッタ４６を位置させたりしている。そして、シート２０をプラテン１０上にその後ろ側からその前側に向けてセッティングしている。
【０００５】
このプロッタにおいては、上記のようにして、シート２０をプラテン１０上にセッティングした後に、バッファ９０に記憶した線図データ又はカットデータの値に基づき、駆動制御手段３０を動作させて、シート２０をプラテン１０上をＸ方向に移動させると共に、ヘッド４０をプラテン１０上をＹ方向に移動させている。そして、ヘッド４０に装着された筆記具４４によりシート２０表面に線図をシート２０前端に近い側からシート２０後方に向けて描いたり、又はヘッド４０に装着されたカッタ４６によりシート２０に所定形状のカット線をシート２０前端に近い側からシート２０後方に向けて形成したりしている。
【０００６】
ところで、プロッタは、部屋内の壁際等の隅部に寄せて置かれることが多く、プラテン１０の後ろ側のスペース５０が狭い。そのため、上記のようにして、シート２０をプラテン１０上にその後ろ側から送り込むようにして、シート２０をプラテン１０上にその後ろ側からその前側に向けてセッティングした場合には、プラテン１０の後ろ側のスペース５０に作業者が回り込み難くて、シート２０をプラテン１０上にセッティングする作業に困難を極める。
【０００７】
そこで、本発明者らは、シート２０をプラテン１０上にその前側から送り込むようにして、シート２０をプラテン１０上にその前側からその後ろ側に向けてセッティングできるプロッタを、平成１０年３月４日提出の特許出願において提案した。
【０００８】
このプロッタにおいては、図６に示したように、ホストコンピュータ６０から送られて来る所定のＸ−Ｙ座標軸上での線図データ又はカットデータの値をそのＸ−Ｙ座標軸と共に平面上で１８０度回転させた反転Ｘ−Ｙ座標軸上での反転データの値を求めて、該反転データの値をバッファ９０に記憶させる反転記憶手段１００を備えている。
それと共に、シート２０をプラテン１０上にその後ろ側からその前側に向けてセッティングした場合には、ホストコンピュータ６０から送られて来る所定のＸ−Ｙ座標軸上での線図データ又カットデータの値をそのままバッファ９０に記憶して、該バッファ９０に記憶した線図データ又はカットデータの値に基づき、駆動制御手段３０を動作させ、
シート２０をプラテン１０上にその前側からその後ろ側に向けてセッティングした場合には、反転記憶手段１００を動作させて、ホストコンピュータ６０から送られて来る所定のＸ−Ｙ座標軸上での線図データ又カットデータの値をそのＸ−Ｙ座標軸と共に平面上で１８０度回転させた反転Ｘ−Ｙ座標軸上での反転データの値を求めて、その反転データの値をバッファ９０に記憶し、該バッファ９０に記憶した反転データの値に基づき、駆動制御手段３０を動作させる切替え手段２００を備えている。
【０００９】
このプロッタにおいては、シート２０をプラテン１０上にその前側からその後ろ側に向けてセッティングした場合に、切替え手段２００を操作して、反転記憶手段１００を動作させ、ホストコンピュータ６０から送られて来る所定のＸ−Ｙ座標軸上での線図データ又はカットデータの値をそのＸ−Ｙ座標軸と共に平面上で１８０度回転させた反転Ｘ−Ｙ座標軸上での反転データの値を求めて、その反転データの値をバッファ９０に記憶させることができる。そして、該バッファ９０に記憶させた反転データの値に基づき、駆動制御手段３０を動作させて、シート２０をプラテン１０上をＸ方向に移動させると共に、ヘッド４０をプラテン１０上をＹ方向に移動させることができる。そして、シート２０をプラテン１０上にその後ろ側からその前側に向けてセッティングした場合にシート２０表面に描かれる図７に示したような線図７０を平面上で１８０度回転させた状態の図８に示したような線図７２を、ヘッド４０に装着された筆記具４４により上記のシート２０表面にシート２０前端に近い側からシート２０後方に向けて描いたり、又はシート２０をプラテン１０上にその後ろ側からその前側に向けてセッティングした場合にシート２０に形成される図７に示したようなカット線８０を平面上で１８０度回転させた状態の図８に示したようなカット線８２を、ヘッド４０に装着されたカッタ４６により上記のシート２０にシート２０前端に近い側からシート２０後方に向けて形成したりできる。
【００１０】
また、従来通り、シート２０をプラテン１０上にその後ろ側からその前側に向けてセッティングした場合には、切替え手段２００を操作して、従来通り、ホストコンピュータ６０から送られて来る所定のＸ−Ｙ座標軸上での線図データ又はカットデータの値をそのままバッファ９０に記憶させることができる。そして、該バッファ９０に記憶させた線図データ又はカットデータの値に基づき、駆動制御手段３０を動作させて、シート２０をプラテン１０上をＸ方向に移動させると共に、ヘッド４０をプラテン１０上をＹ方向に移動させることができる。そして、ヘッド４０に装着された筆記具４４によりシート２０表面に線図をシート２０前端に近い側からシート２０後方に向けて描いたり、又はヘッド４０に装着されたカッタ４６によりシート２０に所定形状のカット線をシート２０前端に近い側からシート２０後方に向けて形成したりできる。
【００１１】
このプロッタによれば、プラテン１０の後ろ側のスペース５０が狭い場合に、プラテン１０の前側に広くあいたスペース５２を有効利用して、シート２０をプラテン１０上にその前側からその後ろ側に向けて容易かつ迅速にセッティングできる。そして、そのプラテン１０上にセッティングしたシート２０表面に、シート２０をプラテン１０上にその後ろ側からその前側に向けてセッティングした場合にそのシート２０表面に描かれる図７に示したような線図７０を平面上で１８０度回転させた状態の図８に示したような線図７２を描いたり、又はそのプラテン１０上にセッティングしたシート２０に、シート２０をプラテン１０上にその前側から後ろ側に向けてセッティングした場合にシート２０に形成される図７に示したようなカット線８０を平面上で１８０度回転させた状態の図８に示したようなカット線８２を形成したりできる。
【００１２】
この場合に、ホストコンピュータ６０から送られて来る線図データ又はカットデータの値が同じとすると、シート２０をプラテン１０上にその前側からその後ろ側に向けてセッティングした場合にそのシート２０表面に描かれる図８に示した線図７２、又はシート２０をプラテン１０上にその前側からその後ろ側に向けてセッティングした場合にシート２０に形成される図８に示したカット線８２は、該シート２０を平面上で１８０度回転させると、シート２０をプラテン１０上にその後ろ側からその前側に向けてセッティングした場合にシート２０表面に描かれる図７に示した線図７０、又はシート２０をプラテン１０上にその後ろ側からその前側に向けてセッティングした場合にシート２０に形成される図７に示したカット線８０と一致する。その結果、シート２０をプラテン１０上にその前側からその後ろ側に向けてセッティングした場合及びシート２０をプラテン１０上にその後ろ側からその前側に向けてセッティングした場合共、シート２０表面に同一の線図７２、７０を描いたり、又はシート２０に同一のカット線８２、８０を形成したりできる。
【００１３】
【発明が解決しようとする課題】
しかしながら、上記のプロッタにおいては、シート２０をプラテン１０上にその前側からその後ろ側に向けてセッティングして、該シート２０表面に図８に示したような線図７２をシート２０前端に近い側からシート２０後方に向けて描いたり、又は該シート２０に図８に示したような所定形状のカット８２線をシート２０前端に近い側からシート２０後方に向けて形成したりした場合に、その線図７２を描き終えたシート２０、又はそのカット８２線を形成し終えたシート２０が、プラテン１０の後ろ側に送り込まれた状態となった。そして、そのシート２０表面に描かれた線図７２の良否、又はそのシート２０に形成されたカット線８２の良否を、プラテン１０等のプロッタの構成部材に妨げられて、プラテン１０の前側から確認できなかった。
【００１４】
本発明は、このような課題に鑑みてなされたもので、上記のプロッタにおいて、シートをプラテン上にその前側からその後ろ側に向けてセッティングして、該シート表面に線図をシート前端に近い側からシート後方に向けて描いたり、又は該シートに所定形状のカット線をシート前端に近い側からシート後方に向けて形成したりした場合に、そのシート表面に描き終えた線図の良否、又はそのシートに形成し終えたカット線の良否を、プラテン等のプロッタの構成部材に妨げられずに、プラテンの前側から容易かつ的確に確認できるプロッタ及び該プロッタの操作方法を提供することを目的としている。
【００１５】
【課題を解決するための手段】
上記目的を達成するために、本発明のプロッタは、ホストコンピュータから送られて来る所定のＸ−Ｙ座標軸上での線図データ又はカットデータの値をバッファに記憶して、該バッファに記憶した線図データ又はカットデータの値に基づき、駆動制御手段により、シートをプラテン上をその前後方向に当たるＸ方向に移動させると共に、ヘッドを前記プラテン上をその左右方向に当たるＹ方向に移動させて、前記ヘッドに装着された筆記具により前記シート表面に線図をシート前端に近い側からシート後方に向けて描いたり、又は前記ヘッドに装着されたカッタにより前記シートに所定形状のカット線をシート前端に近い側からシート後方に向けて形成したりするペーパームービングタイプのプロッタであって、
前記ホストコンピュータから送られて来る所定のＸ−Ｙ座標軸上での線図データ又はカットデータの値をそのＸ−Ｙ座標軸と共に平面上で１８０度回転させた反転Ｘ−Ｙ座標軸上での反転データの値を求めて、該反転データの値をバッファに記憶させる反転記憶手段を備えると共に、
シートをプラテン上にその後ろ側からその前側に向けてセッティングした場合には、ホストコンピュータから送られて来る所定のＸ−Ｙ座標軸上での線図データ又はカットデータの値をそのままバッファに記憶して、該バッファに記憶した線図データ又はカットデータの値に基づき、前記駆動制御手段を動作させ、
シートをプラテン上にその前側からその後ろ側に向けてセッティングした場合には、前記反転記憶手段を動作させて、前記ホストコンピュータから送られて来る所定のＸ−Ｙ座標軸上での線図データ又はカットデータの値をそのＸ−Ｙ座標軸と共に平面上で１８０度回転させた反転Ｘ−Ｙ座標軸上での反転データの値を求めて、その反転データの値をバッファに記憶し、該バッファに記憶した反転Ｘ−Ｙ座標軸上での反転データの値に基づき、前記駆動制御手段を動作させる切替え手段を備えたプロッタにおいて、
シートをプラテン上にその前側からその後ろ側に向けてセッティングした場合に、前記シート表面に線図を描き終えたか否かを検知したり、又は前記シートに所定形状のカット線を形成し終えたか否かを検知したりする検知手段と、
該検知手段により前記シート表面に線図を描き終えたことを検知したり、又は該検知手段により前記シートに所定形状のカット線を形成し終えたことを検知したりした場合に、前記シート表面に描かれた線図を前記プラテンの前側から確認できる位置までシートをプラテン上をその後ろ側からその前側に送り戻したり、又は前記シートに形成されたカット線を前記プラテンの前側から確認できる位置までシートをプラテン上をその後ろ側からその前側に送り戻したりする復帰手段とを備えたことを特徴としている。
【００１６】
このプロッタにおいては、シートをプラテン上にその前側からその後ろ側に向けてセッティングして、そのシート表面に線図をシート前端に近い側からシート後方に向けて描いたり、又はそのシートに所定形状のカット線をシート前端に近い側からシート後方に向けて形成したりした場合に、検知手段により、シート表面に線図を描き終えたか否かを検知し続けたり、又はシートに所定形状のカット線を形成し終えたか否かを検知し続けたりできる。そして、該検知手段により、シート表面に線図を描き終えたことを検知したり、又はシートに所定形状のカット線を形成し終えたことを検知したりした場合に、復帰手段により、プラテンの後ろ側に送り込まれた状態にある線図を描き終えたシートを、該シート表面に描かれた線図を確認できる位置まで、プラテン上をその後ろ側からその前側に送り戻したり、又はプラテンの後ろ側に送り込まれた状態にあるカット線を形成し終えたシートを、該シート表面に描かれた線図を確認できる位置まで、プラテン上をその後ろ側からその前側に送り戻したりできる。そして、その線図が描かれたシートをプラテンの前側に送り出したり、又はそのカット線が形成されたシートをプラテンの前側に送り出したりできる。そして、そのシート表面に描かれた線図の良否、又はそのシートに形成されたカット線の良否を、プラテン等のプロッタの構成部材に妨げられずに、プラテンの前側から容易かつ的確に確認できる。
【００１７】
本発明のプロッタの操作方法は、本発明のプロッタにおいて、次の工程を含むことを特徴としている。
ａ．シートをプラテン上にその前側からその後ろ側に向けてセッティングした場合に、切替え手段により反転記憶手段を動作させて、ホストコンピュータから送られて来る所定のＸ−Ｙ座標軸上での線図データ又はカットデータの値をそのＸ−Ｙ座標軸と共に平面上で１８０度回転させた反転Ｘ−Ｙ座標軸上での反転データの値を求めて、該反転データの値をバッファに記憶し、該バッファに記憶した反転データの値に基づき、駆動制御手段により、前記シートをプラテン上をその前後方向に当たるＸ方向に移動させると共に、ヘッドを前記プラテン上をその左右方向に当たるＹ方向に移動させて、前記ヘッドに装着された筆記具により前記シート表面に線図をシート前端に近い側からシート後方に向けて描いたり、又は前記ヘッドに装着されたカッタにより前記シートに所定形状のカット線をシート前端に近い側からシート後方に向けて形成したりする工程。
ｂ．検知手段により、前記シート表面に線図を描き終えたか否かを検知し続けたり、又は前記シートに所定形状のカット線を形成し終えたか否かを検知し続けたりする工程。
ｃ．前記検知手段により、シート表面に線図を描き終えたことを検知したり、又はシートに所定形状のカット線を形成し終えたことを検知したりした場合に、復帰手段により、線図を描き終えたシートを、該シート表面に描かれた線図を前記プラテンの前側から確認できる位置までプラテン上をその後ろ側からその前側に送り戻したり、又は所定形状のカット線を形成し終えたシートを、該シートに形成されたカット線を前記プラテンの前側から確認できる位置までプラテン上をその後ろ側からその前側に送り戻したりする工程。
【００１８】
この操作方法においては、ａ工程記載のように、シートをプラテン上にその前側からその後ろ側に向けてセッティングした場合に、切替え手段により反転記憶手段を動作させて、ホストコンピュータから送られて来る所定のＸ−Ｙ座標軸上での線図データ又はカットデータの値をそのＸ−Ｙ座標軸と共に平面上で１８０度回転させた反転Ｘ−Ｙ座標軸上での反転データの値を求めて、該反転データの値をバッファに記憶できる。そして、該バッファに記憶した反転データの値に基づき、駆動制御手段により、シートをプラテン上をその前後方向に当たるＸ方向に移動させると共に、ヘッドをプラテン上をその左右方向に当たるＹ方向に移動させることができる。そして、シートをプラテン上にその後ろ側からその前側に向けてセッティングした場合にそのシート表面に描かれる線図を平面上で１８０度回転させた状態の線図を、ヘッドに装着された筆記具により上記のシート表面にシート前端に近い側からシート後方に向けて描いたり、シートをプラテン上にその後ろ側からその前側に向けてセッティングした場合にそのシートに形成されるカット線を平面上で１８０度回転させた状態のカット線を、ヘッドに装着されたカッタにより上記のシートにシート前端に近い側からシート後方に向けて形成したりできる。
【００１９】
その際には、ｂ工程記載のように、検知手段により、プラテン上にその前側からその後ろ側に向けてセッティングしたシート表面に線図を描き終えたか否かを検知し続けたり、又はプラテン上にその前側からその後ろ側に向けてセッティングしたシートに所定形状のカット線を形成し終えたか否かを検知し続けたりできる。
【００２０】
そして、ｃ工程記載のように、検知手段により、シート表面に線図を描き終えたことを検知したり、又はシートに所定形状のカット線を形成し終えたことを検知したりした場合に、復帰手段により、プラテンの後ろ側に送り込まれた状態にある線図を描き終えたシートを、該シート表面に描かれた線図を確認できる位置まで、プラテン上をその後ろ側からその前側に送り戻したり、又はプラテンの後ろ側に送り込まれた状態にあるカット線を形成し終えたシートを、該シートに形成されたカット線を確認できる位置まで、プラテン上をその後ろ側からその前側に送り戻したりできる。そして、その線図が描かれたシートをプラテンの前側に送り出したり、又はそのカット線が形成されたシートをプラテンの前側に送り出したりできる。そして、シート表面に描かれた線図の良否、又はシートに形成されたカット線の良否を、プラテン等のプロッタの構成部材に妨げられずに、プラテンの前側から容易かつ的確に確認できる。
【００２１】
【発明の実施の形態】
次に、本発明の実施の形態を図面に従い説明する。
図１は本発明のプロッタの好適な実施の形態を示し、図１はその概略構造説明図である。以下に、このプロッタを説明する。
【００２２】
図のプロッタでは、シート２０をプラテン１０上にその前側からその後ろ側に向けてセッティングした場合に、該シート２０表面に線図をシート２０前端に近い側からシート２０後方に向けて描き終えたか否かを検知したり、又は該シート２０に所定形状のカット線をシート２０前端に近い側からシート２０後方に向けて形成し終えたか否かを検知したりする検知手段３００を備えている。検知手段３００は、電子回路等から形成している。
【００２３】
検知手段３００は、切替え手段２００により動作させる構造とすると良い。そして、シート２０をプラテン１０上にその前側からその後ろ側に向けてセッティングした場合に、切替え手段２００を操作して、反転記憶手段１００を動作させると共に、検知手段３００を動作させることができるようにすると良い。そして、検知手段３００の操作の簡略化を図ると良い。
【００２４】
また、検知手段３００により、上記のシート２０表面に線図をシート２０前端に近い側からシート２０後方に向けて描き終えたことを検知したり、又は上記のシート２０に所定形状のカット線をシート２０前端に近い側からシート２０後方に向けて形成し終えたことを検知したりした場合に、上記のシート２０表面に描かれた線図をプラテン１０の前側から確認できる位置まで上記のシート２０をプラテン１０上をその後ろ側からその前側に送り戻したり、又は上記のシート２０に形成されたカット線をプラテン１０の前側から確認できる位置まで上記のシート２０をプラテン１０上をその後ろ側からその前側に送り戻したりする復帰手段４００を備えている。復帰手段４００は、シート２０をプラテン１０上をＸ方向に移動させる駆動制御手段３０を利用していて、電子回路等から形成している。
【００２５】
その他は、図６に示した前述のプロッタと同様に構成している。
次に、このプロッタの使用例であって、本発明のプロッタの操作方法の好適な実施の形態を説明する。
【００２６】
図２と図３は本発明のプロッタの操作方法の好適な実施の形態を示し、図２と図３はその工程説明図である。以下に、このプロッタの操作方法を説明する。
【００２７】
このプロッタの操作方法においては、図３に示したように、シート２０をプラテン１０上にその前側からその後ろ側に向けてセッティングした場合に、切替え手段２００を操作して、反転記憶手段１００を動作させる。そして、反転記憶手段１００により、ホストコンピュータ６０から送られて来る所定のＸ−Ｙ座標軸上での線図データ又はカットデータの値をそのＸ−Ｙ座標軸と共に平面上で１８０度回転させた反転Ｘ−Ｙ座標軸上での反転データの値を求めて、該反転データの値をバッファ９０に記憶する。そして、該バッファ９０に記憶した反転データの値に基づき、駆動制御手段３０を動作させて、プラテン１０上にセッティングしたシート２０をプラテン１０上をその前後方向に当たるＸ方向に移動させると共に、ヘッド４０をプラテン１０上をその左右方向に当たるＹ方向に移動させる。そして、シート２０をプラテン１０上にその後ろ側からその前側に向けてセッティングした場合に該シート２０表面に描かれる図７に示したような線図７０を平面上で１８０度回転させた状態の図８に示したような線図７２を、ヘッド４０に装着された筆記具４４により上記のシート２０表面にシート２０前端に近い側からシート２０後方に向けて描いたり、又はシート２０をプラテン１０上にその後ろ側からその前側に向けてセッティングした場合に該シート２０に形成される図７に示したようなカット線８０を平面上で１８０度回転させた状態の図８に示したようなカット線８２を、ヘッド４０に装着されたカッタ４６により上記のシート２０にシート２０前端に近い側からシート２０後方に向けて形成したりする。
【００２８】
その際には、検知手段３００により、シート２０表面に線図７２を描き終えたか否かを検知し続けたり、又はシート２０に所定形状のカット線８２を形成し終えたか否かを検知し続けたりする。そして、検知手段３００により、シート２０表面に線図７２を描き終えたことを検知したり、又はシート２０に所定形状のカット線８２を形成し終えたことを検知したりした場合に、復帰手段４００を動作させて、プラテン１０の後ろ側に送り込まれた状態にある線図７２を描き終えたシート２０を、該シート２０表面に描かれた線図７２をプラテン１０の前側から確認できる位置まで、プラテン１０上をその後ろ側からその前側に送り戻したり、又はプラテン１０の後ろ側に送り込まれた状態にあるカット線８２を形成し終えたシート２０を、該シート２０に形成されたカット線８２をプラテン１０の前側から確認できる位置まで、プラテン１０上をその後ろ側からその前側に送り戻したりする。
【００２９】
この操作方法においては、図２に示したように、プラテン１０の後ろ側に送り込まれた状態にある線図７２を描き終えたシート２０を、図３に示したように、プラテン１０の前側に送り出したり、又は図２に示したように、プラテン１０の後ろ側に送り込まれた状態にあるカット線８２を形成し終えたシート２０を、図３に示したように、プラテン１０の前側に送り出したりできる。そして、そのシート２０表面に描かれた線図７２の良否、又はそのシート２０に形成されたカット線８２の良否を、プラテン１０の前側から目等で確認できる。
【００３０】
また、図２に示したように、従来通り、シート２０をプラテン１０上にその後ろ側からその前側に向けてセッティングした場合には、切替え手段２００を操作して、ホストコンピュータ６０から送られて来る所定のＸ−Ｙ座標軸上での線図データ又はカットデータの値をそのままバッファ９０に記憶する。そして、該バッファ９０に記憶した反転データの値に基づき、駆動制御手段３０を動作させて、プラテン１０上にセッティングしたシート２０をプラテン１０上をその前後方向に当たるＸ方向に移動させると共に、ヘッド４０をプラテン１０上をその左右方向に当たるＹ方向に移動させる。そして、従来通り、ヘッド４０に装着された筆記具４４によりシート２０表面に図７に示したような線図７０をシート２０前端に近い側からシート２０後方に向けて描いたり、又はヘッド４０に装着されたカッタ４６によりシート２０に図７に示したような所定形状のカット線８０をシート２０前端に近い側からシート２０後方に向けて形成したりする。
【００３１】
この操作方法においては、シート２０表面に線図をシート２０前端に近い側からシート２０後方に向けて描き終えた状態において、その線図７０を描き終えたシート２０を、図３に示したように、プラテン１０の前側に送り出した状態としたり、又はシート２０に所定形状のカット線８０をシート２０前端に近い側からシート２０後方に向けて形成し終えた状態において、そのシート２０を、図３に示したように、プラテン１０の前側に送り出した状態としたりできる。そして、そのシート２０表面に描かれた線図７０の良否、又はそのシート２０に形成されたカット線８０の良否を、プラテン１０の前側から目等で確認できる。
【００３２】
図２と図３に示したプロッタの操作方法は、以上の工程からなる。
【００３３】
【発明の効果】
以上説明したように、本発明のプロッタ及び該プロッタの操作方法によれば、シートをプラテン上にその前側からその後ろ側に向けてセッティングして、該シート表面に線図をシート前端に近い側からシート後方に向けて描いたり、又は該シートにカット線をシート前端に近い側からシート後方に向けて形成したりした後に、プラテンの後ろ側に送り込まれた状態にある線図を描き終えたシート、又はプラテンの後ろ側に送り込まれた状態にあるカット線を形成し終えたシートを、プラテン上をその後ろ側からその前側に送り戻すことができる。そして、その線図を描き終えたシート、又はそのカット線を形成し終えたシートを、プラテンの前側に送り出すことができる。そして、そのシート表面に描かれた線図の良否をプラテンの前側から容易かつ的確に確認したり、又はそのシートに形成されたカット線の良否をプラテンの前側から容易かつ的確に確認したりできる。
【図面の簡単な説明】
【図１】本発明のプロッタの概略構造説明図である。
【図２】本発明のプロッタの操作方法の工程説明図である。
【図３】本発明のプロッタの操作方法の工程説明図である。
【図４】従来のプロッタの概略構造説明図である。
【図５】従来のプロッタのプラテン部分の構造説明図である。
【図６】特許出願において提案したプロッタの概略構造説明図である。
【図７】特許出願において提案したプロッタにより描いた線図又は特許出願において提案したプロッタにより形成したカット線の説明図である。
【図８】特許出願において提案したプロッタにより描いた線図又は特許出願において提案したプロッタにより形成したカット線の説明図である。
【符号の説明】
１０  プラテン
１２  送りローラ
１４  ピンチローラ
２０  シート
３０  駆動制御手段
４０  ヘッド
４２  ガイドレール
４４  筆記具
４６  カッタ
５０、５２  スペース
６０  ホストコンピュータ
７０、７２  線図
８０、８２  カット線
９０  バッファ
１００  反転記憶手段
２００  切替え手段
３００  検知手段
４００  復帰手段
【図１】
0003625640.tif 000002
【図２】
0003625640.tif 000003
【図３】
0003625640.tif 000004
【図４】
0003625640.tif 000005
【図５】
0003625640.tif 000006
【図６】
0003625640.tif 000007
【図７】
0003625640.tif 000008
【図８】
0003625640.tif 000009